【手続補正書】
【提出日】平成29年12月20日(2017.12.20)
【手続補正１】
【補正対象書類名】特許請求の範囲
【補正対象項目名】全文
【補正方法】変更
【補正の内容】
【特許請求の範囲】
【請求項１】
画面の領域を構成する複数の分割領域に対応する複数の光源を有する発光手段と、
入力画像データに基づく透過率で前記発光手段からの光を透過することにより、画面に画像を表示する表示手段と、
前記入力画像データに基づいて各光源の発光輝度を個別に決定する決定手段と、
前記決定手段で決定された各光源の発光輝度、前記光源からの光の色の前記画面の面内方向における変化を示す色変化情報、および、前記光源からの光の輝度の前記面内方向における変化を示す輝度変化情報に基づいて、前記複数の分割領域のうち対象領域以外の分割領域に対応する光源からの光が前記対象領域に漏れることに起因した前記対象領域の表示色の変化が低減するように、前記対象領域における画像データの各画素の色、および、前記対象領域に対応する光源の発光色の少なくとも一方を補正する色補正処理を行う色補正手段と、
を有することを特徴とする表示装置。
【請求項２】
前記決定手段は、前記入力画像データと前記輝度変化情報に基づいて、前記光源からの光が他の分割領域に漏れることに起因した表示輝度の変化が低減するように、各光源の発光輝度を個別に決定する
ことを特徴とする請求項１に記載の表示装置。
【請求項３】
前記光源からの光が他の分割領域に漏れることに起因した表示輝度の変化が低減するように、前記決定手段で決定された各光源の発光輝度と、前記輝度変化情報と、に基づいて、画像データの各画素の輝度を補正する輝度補正手段、をさらに有する
ことを特徴とする請求項１または２に記載の表示装置。
【請求項４】
前記色変化情報は、前記光源からの光のＸＹＺ三刺激値におけるＸ値の前記面内方向における変化を示す第１色変化情報と、前記光源からの光のＸＹＺ三刺激値におけるＺ値の前記面内方向における変化を示す第２色変化情報と、の少なくとも一方を含む
ことを特徴とする請求項１〜３のいずれか１項に記載の表示装置。
【請求項５】
前記第１色変化情報は、最大値が１に規格化されたＸ値である規格化Ｘ値の前記面内方向における変化を示す情報であり、
前記色補正処理では、
前記光源毎に、その光源から発せられた光の前記対象領域での規格化Ｘ値に当該光源の前記決定手段で決定された発光輝度を乗算することにより、重み付けＸ値が算出され、
各光源の重み付けＸ値の総和である第１合計値が算出され、
前記輝度変化情報に基づいて算出された発光輝度であり、且つ、各光源を前記決定手段で決定された発光輝度で発光させた状態での前記対象領域における前記発光手段の発光輝度である、対応輝度が取得され、
ＸＹＺ三刺激値におけるＹ値の基準値に対するＸ値の基準値の割合を、前記対応輝度に対する前記第１合計値の割合で除算することにより、第１補正係数が算出され、
前記対象領域の表示色のＸ値が当該Ｘ値に第１補正係数を乗算した値に補正されるように、前記対象領域における画像データの各画素の色と、前記対象領域に対応する光源の発光色と、の少なくとも一方が補正される
ことを特徴とする請求項４に記載の表示装置。
【請求項６】
前記第２色変化情報は、最大値が１に規格化されたＺ値である規格化Ｚ値の前記面内方向における変化を示す情報であり、
前記色補正処理では、
前記光源毎に、その光源から発せられた光の前記対象領域での規格化Ｚ値に当該光源の前記決定手段で決定された発光輝度を乗算することにより、重み付けＺ値が算出され、
各光源の重み付けＺ値の総和である第２合計値が算出され、
前記輝度変化情報に基づいて算出された発光輝度であり、且つ、各光源を前記決定手段で決定された発光輝度で発光させた状態での前記対象領域における前記発光手段の発光輝度である、対応輝度が取得され、
ＸＹＺ三刺激値におけるＹ値の基準値に対するＺ値の基準値の割合を、前記対応輝度に対する前記第２合計値の割合で除算することにより、第２補正係数が算出され、
前記対象領域の表示色のＺ値が当該Ｚ値に第２補正係数を乗算した値に補正されるように、前記対象領域における画像データの各画素の色と、前記対象領域に対応する光源の発光色と、の少なくとも一方が補正される
ことを特徴とする請求項４または５に記載の表示装置。
【請求項７】
前記色変化情報は、
前記光源からの光のｘｙ色度座標値の前記面内方向における変化、
前記光源からの光のｕｖ色度座標値の前記面内方向における変化、
前記光源からの光のｕ’ｖ’色度座標値の前記面内方向における変化、または、
前記光源からの光のａ＊ｂ＊色度座標値の前記面内方向における変化、
を示す
ことを特徴とする請求項１〜３のいずれか１項に記載の表示装置。
【請求項８】
前記光源の発光色は白色であり、
前記色補正処理は、前記対象領域における画像データの各画素の色を補正する処理である
ことを特徴とする請求項１〜７のいずれか１項に記載の表示装置。
【請求項９】
前記光源は、発光色が互いに異なる複数の有色発光素子を有し、
前記色補正処理は、前記対象領域に対応する光源が有する各有色発光素子の発光輝度を補正することにより、前記対象領域に対応する光源の発光色を補正する処理、を含む
ことを特徴とする請求項１〜７のいずれか１項に記載の表示装置。
【請求項１０】
前記輝度変化情報は、前記光源からの光のＸＹＺ三刺激値におけるＹ値の前記面内方向における変化を示す
ことを特徴とする請求項１〜９のいずれか１項に記載の表示装置。
【請求項１１】
画面の領域を構成する複数の分割領域に対応する複数の光源を有する発光手段と、
入力画像データに基づく透過率で前記発光手段からの光を透過することにより、画面に画像を表示する表示手段と、
を有する表示装置の制御方法であって、
前記入力画像データに基づいて各光源の発光輝度を個別に決定する決定ステップと、
前記決定ステップで決定された各光源の発光輝度、前記光源からの光の色の前記画面の面内方向における変化を示す色変化情報、および、前記光源からの光の輝度の前記面内方向における変化を示す輝度変化情報に基づいて、前記複数の分割領域のうち対象領域以外の分割領域に対応する光源からの光が前記対象領域に漏れることに起因した前記対象領域の表示色の変化が低減するように、前記対象領域における画像データの各画素の色、および、前記対象領域に対応する光源の発光色の少なくとも一方を補正する色補正処理を行う色補正ステップと、
を有することを特徴とする表示装置の制御方法。
【請求項１２】
前記決定ステップでは、前記入力画像データと前記輝度変化情報に基づいて、前記光源からの光が他の分割領域に漏れることに起因した表示輝度の変化が低減するように、各光源の発光輝度が個別に決定される
ことを特徴とする請求項１１に記載の表示装置の制御方法。
【請求項１３】
前記光源からの光が他の分割領域に漏れることに起因した表示輝度の変化が低減するように、前記決定ステップで決定された各光源の発光輝度と、前記輝度変化情報と、に基づいて、画像データの各画素の輝度を補正する輝度補正ステップ、をさらに有する
ことを特徴とする請求項１１または１２に記載の表示装置の制御方法。
【請求項１４】
前記色変化情報は、前記光源からの光のＸＹＺ三刺激値におけるＸ値の前記面内方向における変化を示す第１色変化情報と、前記光源からの光のＸＹＺ三刺激値におけるＺ値の前記面内方向における変化を示す第２色変化情報と、の少なくとも一方を含む
ことを特徴とする請求項１１〜１３のいずれか１項に記載の表示装置の制御方法。
【請求項１５】
前記第１色変化情報は、最大値が１に規格化されたＸ値である規格化Ｘ値の前記面内方向における変化を示す情報であり、
前記色補正処理では、
前記光源毎に、その光源から発せられた光の前記対象領域での規格化Ｘ値に当該光源の前記決定ステップで決定された発光輝度を乗算することにより、重み付けＸ値が算出され、
各光源の重み付けＸ値の総和である第１合計値が算出され、
前記輝度変化情報に基づいて算出された発光輝度であり、且つ、各光源を前記決定ステップで決定された発光輝度で発光させた状態での前記対象領域における前記発光手段の発光輝度である、対応輝度が取得され、
ＸＹＺ三刺激値におけるＹ値の基準値に対するＸ値の基準値の割合を、前記対応輝度に対する前記第１合計値の割合で除算することにより、第１補正係数が算出され、
前記対象領域の表示色のＸ値が当該Ｘ値に第１補正係数を乗算した値に補正されるように、前記対象領域における画像データの各画素の色と、前記対象領域に対応する光源の発光色と、の少なくとも一方が補正される
ことを特徴とする請求項１４に記載の表示装置の制御方法。
【請求項１６】
前記第２色変化情報は、最大値が１に規格化されたＺ値である規格化Ｚ値の前記面内方向における変化を示す情報であり、
前記色補正処理では、
前記光源毎に、その光源から発せられた光の前記対象領域での規格化Ｚ値に当該光源の前記決定ステップで決定された発光輝度を乗算することにより、重み付けＺ値が算出され、
各光源の重み付けＺ値の総和である第２合計値が算出され、
前記輝度変化情報に基づいて算出された発光輝度であり、且つ、各光源を前記決定ステップで決定された発光輝度で発光させた状態での前記対象領域における前記発光手段の発光輝度である、対応輝度が取得され、
ＸＹＺ三刺激値におけるＹ値の基準値に対するＺ値の基準値の割合を、前記対応輝度に対する前記第２合計値の割合で除算することにより、第２補正係数が算出され、
前記対象領域の表示色のＺ値が当該Ｚ値に第２補正係数を乗算した値に補正されるように、前記対象領域における画像データの各画素の色と、前記対象領域に対応する光源の発光色と、の少なくとも一方が補正される
ことを特徴とする請求項１４または１５に記載の表示装置の制御方法。
【請求項１７】
前記色変化情報は、
前記光源からの光のｘｙ色度座標値の前記面内方向における変化、
前記光源からの光のｕｖ色度座標値の前記面内方向における変化、
前記光源からの光のｕ’ｖ’色度座標値の前記面内方向における変化、または、
前記光源からの光のａ＊ｂ＊色度座標値の前記面内方向における変化、
を示す
ことを特徴とする請求項１１〜１３のいずれか１項に記載の表示装置の制御方法。
【請求項１８】
前記光源の発光色は白色であり、
前記色補正処理は、前記対象領域における画像データの各画素の色を補正する処理である
ことを特徴とする請求項１１〜１７のいずれか１項に記載の表示装置の制御方法。
【請求項１９】
前記光源は、発光色が互いに異なる複数の有色発光素子を有し、
前記色補正処理は、前記対象領域に対応する光源が有する各有色発光素子の発光輝度を補正することにより、前記対象領域に対応する光源の発光色を補正する処理、を含む
ことを特徴とする請求項１１〜１７のいずれか１項に記載の表示装置の制御方法。
【請求項２０】
前記輝度変化情報は、前記光源からの光のＸＹＺ三刺激値におけるＹ値の前記面内方向における変化を示す
ことを特徴とする請求項１１〜１９のいずれか１項に記載の表示装置の制御方法。
【請求項２１】
請求項１１〜２０のいずれか１項に記載の表示装置の制御方法の各ステップをコンピュータに実行させるためのプログラム。
【手続補正２】
【補正対象書類名】明細書
【補正対象項目名】０００８
【補正方法】変更
【補正の内容】
【０００８】
本発明の第１の態様は、
画面の領域を構成する複数の分割領域に対応する複数の光源を有する発光手段と、
入力画像データに基づく透過率で前記発光手段からの光を透過することにより、画面に画像を表示する表示手段と、
前記入力画像データに基づいて各光源の発光輝度を個別に決定する決定手段と、
前記決定手段で決定された各光源の発光輝度、前記光源からの光の色の前記画面の面内方向における変化を示す色変化情報、および、前記光源からの光の輝度の前記面内方向における変化を示す輝度変化情報に基づいて、前記複数の分割領域のうち対象領域以外の分割領域に対応する光源からの光が前記対象領域に漏れることに起因した前記対象領域の表示色の変化が低減するように、前記対象領域における画像データの各画素の色、および、前記対象領域に対応する光源の発光色の少なくとも一方を補正する色補正処理を行う色補正手段と、
を有することを特徴とする表示装置である。
【手続補正３】
【補正対象書類名】明細書
【補正対象項目名】０００９
【補正方法】変更
【補正の内容】
【０００９】
本発明の第２の態様は、
画面の領域を構成する複数の分割領域に対応する複数の光源を有する発光手段と、
入力画像データに基づく透過率で前記発光手段からの光を透過することにより、画面に画像を表示する表示手段と、
を有する表示装置の制御方法であって、
前記入力画像データに基づいて各光源の発光輝度を個別に決定する決定ステップと、
前記決定ステップで決定された各光源の発光輝度、前記光源からの光の色の前記画面の面内方向における変化を示す色変化情報、および、前記光源からの光の輝度の前記面内方向における変化を示す輝度変化情報に基づいて、前記複数の分割領域のうち対象領域以外の分割領域に対応する光源からの光が前記対象領域に漏れることに起因した前記対象領域の表示色の変化が低減するように、前記対象領域における画像データの各画素の色、および、前記対象領域に対応する光源の発光色の少なくとも一方を補正する色補正処理を行う色補正ステップと、
を有することを特徴とする表示装置の制御方法である。
【手続補正４】
【補正対象書類名】明細書
【補正対象項目名】００１０
【補正方法】変更
【補正の内容】
【００１０】
本発明の第３の態様は、上述した表示装置の制御方法の各ステップをコンピュータに実行させるためのプログラムである。
【手続補正５】
【補正対象書類名】明細書
【補正対象項目名】００３２
【補正方法】変更
【補正の内容】
【００３２】
（色変化情報記憶部）
色変化情報記憶部１０７は、色変化情報Ｇを記憶する第１記憶部である。色変化情報Ｇは、光源からの光の色の上記面内方向における変化を示す情報である。本実施例では、色変化情報Ｇとして、第１色変化情報ＧＸと第２色変化情報ＧＺが用意されている。
【手続補正６】
【補正対象書類名】明細書
【補正対象項目名】００５９
【補正方法】変更
【補正の内容】
【００５９】
（色補正部）
色補正部１１１は、色補正値計算部１０９から出力された各分割領域の色補正係数（第１補正係数ＶＸと第２補正係数ＶＺ）を用いて、輝度補正部１１０から出力された第１補正画像データを補正する（色補正処理）。具体的には、第２対象領域における第１補正画像データの画素色のＸ値が、当該Ｘ値に第２対象領域の第１補正係数ＶＸを乗算した値に補正されるように、第２対象領域における第１補正画像データの各画素値が補正される。それにより、第２対象領域における表示色のＸ値が、当該Ｘ値に第２対象領域の第１補正係数ＶＸを乗算した値に補正される。また、第２対象領域における第１補正画像データの画素色のＺ値が、当該Ｚ値に第２対象領域の第２補正係数ＶＺを乗算した値に補正されるように、第２対象領域における第１補正画像データの各画素値が補正される。それにより、第２対象領域における表示色のＺ値が、当該Ｚ値に第２対象領域の第２補正係数ＶＺを乗算した値に補正される。複数の分割領域が順番に第２対象領域として選択されながら、上記処理が繰り返し行われる。それにより、輝度補正処理と色補正処理が施された後の画像データである第２補正画像データが生成される。なお、色補正処理では、画素の輝度が維持されるように画素色が補正される。色補正部１１１は、第２補正画像データを、液晶パネル１０１に出力する。
なお、色補正処理は、輝度補正処理よりも後に行われてもよい。色補正処理と輝度補正処理の両方を実現する画像処理が行われてもよい。
【手続補正７】
【補正対象書類名】明細書
【補正対象項目名】００６７
【補正方法】変更
【補正の内容】
【００６７】
本実施例では、Ｒ補正係数ＷＲｍｎ、Ｇ補正係数ＷＧｍｎ、及び、Ｂ補正係数ＷＢｍｎは、以下の式１５を用いて算出される。式１５において、９つのマトリクス係数ａＸ，ａＹ，ａＺ，ｂＸ，ｂＹ，ｂＺ，ｃＸ，ｃＹ，ｃＺを有する３行３列のマトリクスは、上述した変換マトリクスである。
【数３】
2016133640.tif 000001